(57)【要約】  本発明は、セキュリティペーパー、有価証書、身分証明証等のためのセキュリティ素子に関し、このセキュリティ素子は、自立型であり、異なる二つのセキュリティ機能部を有する。セキュリティ機能部は、セキュリティ素子の両側に配設され、セキュリティ機能部の少なくとも一つは光学的に変化することが可能である。
2005512859.tif 000002
【特許請求の範囲】
【請求項１】
セキュリティペーパー、有価証書、身分証明証等のためのセキュリティ素子であって、  該セキュリティ素子の両側に対向して配設された、異なる少なくとも二つのセキュリティ機能部を備え、該セキュリティ機能部の少なくとも一つが光学的に変化し得るものであることを特徴とするセキュリティ素子。
【請求項２】
前記セキュリティ機能部が印刷画像または半透明層であることを特徴とする、請求項１記載のセキュリティ素子。
【請求項３】
前記半透明層が、薄い金属層または網目状の金属層であることを特徴とする、請求項２記載のセキュリティ素子。
【請求項４】
前記印刷画像が、赤外線吸収性または発光性または磁性または導電性を備えていることを特徴とする、請求項２または３記載のセキュリティ素子。
【請求項５】
前記印刷画像が白抜き印刷画像であることを特徴とする、請求項２または３記載のセキュリティ素子。
【請求項６】
前記双方のセキュリティ機能部が、光学的に変化し得るセキュリティ機能部であることを特徴とする、請求項１から５のいずれか１項記載のセキュリティ素子。
【請求項７】
前記セキュリティ素子を一方側から視た場合に前記セキュリティ機能部の一つのみが認識され得るように、前記セキュリティ機能部が前記セキュリティ素子上に配設されていることを特徴とする、請求項１から６のいずれか１項記載のセキュリティ素子。
【請求項８】
前記光学的に変化し得るセキュリティ機能部の少なくとも一つが、反射光中で観察され得る回折構造であることを特徴とする、請求項１から７のいずれか１項記載のセキュリティ素子。
【請求項９】
前記光学的に変化し得るセキュリティ機能部の少なくとも一つが、薄膜素子であることを特徴とする、請求項１から８のいずれか１項記載のセキュリティ素子。
【請求項１０】
前記光学的に変化し得るセキュリティ機能部の少なくとも一つが、光学的に変化し得る印刷画像であり、使用された印刷インクが、液晶顔料または干渉層顔料のような光学的に変化し得る顔料の少なくとも一つを含んでいることを特徴とする、請求項１から９のいずれか１項記載のセキュリティ素子。
【請求項１１】
機械による検査が可能な層、および／または肉眼による検査が可能な層が前記セキュリティ機能部の間に配設されていることを特徴とする、請求項１から１０のいずれか１項記載のセキュリティ素子。
【請求項１２】
前記肉眼による検査が可能な層が、プラスチック層が、赤外線吸収性または発光性または磁性または導電性を備えていることを特徴とする、請求項１１記載のセキュリティ素子。
【請求項１３】
黒色層または白色層であることが好ましい有色層が、前記セキュリティ機能部の間に配設されていることを特徴とする、請求項１から１２のいずれか１項記載のセキュリティ素子。
【請求項１４】
前記セキュリティ機能部の少なくとも一つが、文字または模様または標識等の形状の中断部を備えた層を有することを特徴とする、請求項１から１３のいずれか１項記載のセキュリティ素子。
【請求項１５】
前記セキュリティ素子が多層フォイル構造からなり、前記異なる二つのセキュリティ機能部が、反射光中で観察され得る、異なる光学的印象を与える二つの回折構造であることを特徴とする、請求項１から１４のいずれか１項記載のセキュリティ素子。
【請求項１６】
反射光中で観察される前記二つの回折構造の少なくとも一つが、プラスチック層と、少なくとも一部の領域に設けられた金属層とからなり、前記プラスチック層が浮彫り構造の形態の回折構造を備えていることを特徴とする、請求項１５記載のセキュリティ素子。
【請求項１７】
前記双方のセキュリティ機能部が、プラスチック層と、少なくとも一部の領域に設けられた金属層とからなり、該金属層が異なる色彩効果を呈することを特徴とする、請求項１６記載のセキュリティ素子。
【請求項１８】
前記セキュリティ素子が、磁性層を間に配設した二つのセキュリティ機能部を備えていることを特徴とする、請求項１５から１７のいずれか１項記載のセキュリティ素子。
【請求項１９】
反射光中で観察され得る前記二つの回折構造の少なくとも一つが、プラスチック層と、該プラスチック層内に浮彫り構造の形態で存在する前記回折構造が反射光中で観察され得るように該プラスチック層とは屈折率を異にする誘電体層とからなることを特徴とする、請求項１５記載のセキュリティ素子。
【請求項２０】
前記セキュリティ素子が、黒色層を間に配設した二つのセキュリティ機能部を備えていることを特徴とする、請求項１９記載のセキュリティ素子。
【請求項２１】
前記二つのセキュリティ機能部が、同一モチーフの異なる光景を表すことを特徴とする、請求項１から２０のいずれか１項記載のセキュリティ素子。
【請求項２２】
セキュリティペーパー、有価証書、身分証明証等のためのセキュリティ素子であって、
該セキュリティ素子の両側に対向して配設された、異なる少なくとも二つのセキュリティ機能部を備え、該セキュリティ機能部のそれぞれが、文字または模様または標識等の形状の中断部を備えた不透明コーティングを有し、反対側の不透明コーティング層が、前記中断部の領域全体を覆っていることを特徴とするセキュリティ素子。
【請求項２３】
前記二つの不透明コーティング層の少なくとも一つが金属層であることを特徴とする、請求項２２記載のセキュリティ素子。
【請求項２４】
前記二つの不透明コーティング層が異なる色彩を有することを特徴とする、請求項２２または２３記載のセキュリティ素子。
【請求項２５】
銀行券、身分証明証等のようなセキュリティ証書を作成するためのセキュリティペーパーであって、
少なくとも一つの透孔を備え、前記異なるセキュリティ機能部が該透孔の領域内で認識され得るように、該透孔の一側が、請求項１から２４の少なくとも１項記載のセキュリティ素子により塞がれていることを特徴とするセキュリティペーパー。
【請求項２６】
銀行券、身分証明証等のような有価証書であって、
少なくとも一つの透孔を備え、前記異なるセキュリティ機能部が該透孔の領域内で認識され得るように、該透孔の一側が、請求項１から２４のいずれか１項記載のセキュリティ素子により塞がれていることを特徴とする有価証書。
【請求項２７】
銀行券、身分証明証等のような有価証書であって、
少なくとも一つの透孔を備え、該透孔の一側が、第１の光学的に変化し得るセキュリティ機能部によって塞がれ、前記透孔の他側が、前記第１のセキュリティ機能部とは異なる、第２の光学的に変化し得るセキュリティ機能部によって塞がれていることを特徴とする有価証書。
【請求項２８】
請求項１から２４のいずれか１項記載のセキュリティ素子を備えた、銀行券、身分証明証等のような有価証書。
【請求項２９】
請求項１から２４のいずれか１項記載のセキュリティ素子を使用して任意の形式の物品の偽造を防止する方法。
【請求項３０】
請求項２５記載のキュリティペーパーを使用して任意の形式の物品の偽造を防止する方法。
【請求項３１】
請求項２６から２８のいずれか１項記載の有価証書を使用して任意の形式の物品の偽造を防止する方法。
【発明の詳細な説明】
【技術分野】
【０００１】
本発明は、セキュリティペーパー、有価証書、身分証明証等のためのセキュリティ素子に関し、このセキュリティ素子は、自立構造を有し、かつ二つの異なる、光学的に変化し得るセキュリティ機能部を有する。さらに本発明は、かかるセキュリティ素子を備えたセキュリティペーパーおよび有価証書に関するものである。
【背景技術】
【０００２】
特許文献１には、作成後透孔が開けられ、次にこの透孔の一側が、透孔の全縁にはみ出しているカバーフォイルでシールされる有価証書が記載されている。上記カバーフォイルは、もしこの証書の複写を試みた場合に、背景が透けて見え、それがコピー機によって複写されるように、少なくとも一部領域が透明である。さらに、上記カバーフォイルは、セキュリティ機能部、例えばホログラムを備えることができる。
【特許文献１】国際公開第９５／１０４２０号パンフレット
【発明の開示】
【発明が解決しようとする課題】
【０００３】
本発明は、従来技術と比較して偽造阻止性を高めたセキュリティ素子ならびにセキュリティペーパーおよび有価証書を提供することを目的とするものである。
【課題を解決するための手段】
【０００４】
上記課題は、独立請求項に記載された特徴部分によって解決される。従属請求項の対象はそれらの発展である。
【０００５】
本発明のセキュリティ素子は、このセキュリティ素子の両側に対向して配設された、異なる少なくとも二つのセキュリティ機能部を備え、これらセキュリティ機能部の少なくとも一つは光学的に変化し得るものである。光学的に変化し得るとは、色彩の相互作用および／または別の情報のような肉眼で認識し得る外観が、視る角度によって異なるセキュリティ機能を有することを意味する。
【０００６】
光学的に変化し得るセキュリティ機能部としては、例えば、反射光中で観察し得る回折構造、または光学的に変化し得る印象が反射特性のみに基づく粗い格子構造、または薄膜構造、または、使用される印刷インクが液晶顔料または干渉層顔料のような光学的に変化し得る顔料の少なくとも一つを含む光学的に変化し得る印刷がある。上記セキュリティ素子は、光学的に変化し得るセキュリティ機能部のいかなる組合せを備えても差支えない。
【０００７】
本発明によって用いられるその他のセキュリティ機能部としては、印刷画像、または半透明または網目状の金属層等がある。この印刷画像は、発光性、または磁性、または導電性のような機械によっても検出可能な特性を有するインクを用いて施すことができる。
【０００８】
もし、異なる二つのセキュリティ機能部が、読取り可能な情報を含んでおり、かつこの情報を、セキュリティ素子の両側から、左右が合った状態で、すなわち鏡像でない状態で読むことができるとすれば、それも本発明の範囲内である。
【０００９】
本発明によるセキュリティ素子は、このセキュリティ素子を一方の側から視たときに、光学的に変化し得るセキュリティ機能部の一つみが認識され得るように、光学的に変化し得る、異なる少なくとも二つのセキュリティ機能部を両側に備えていることが好ましい。
【００１０】
本発明によるセキュリティ素子を、透孔を備えたセキュリティペーパーまたは有価証書に用いることには特に効果がある。特許文献１に記載された従来技術による有価証書は、開口の領域内に、セキュリティ機能部を一つだけ備えており、このセキュリティ機能部を左右が合った状態で完全に視ることができるのは、開口の片側においてのみである。開口の反対側からは、上記セキュリティ機能部を全く認識することができないか、あるいは左右が反対の鏡像が見えるだけである。しかしながら、本発明によるセキュリティ素子が開口の領域内に配設されると、完全でかつ左右が合ったセキュリティ機能部を、開口の両側から認識することができる。このことは偽造阻止性を向上させることができる。何故ならば、もし開口が簡単な打抜きで形成されているとすると、その開口は偽造者によっても簡単に形成することができるからである。これに対して、両面に設けられたセキュリティ機能部は、簡単に複製することは不可能である。もし、二つのセキュリティ機能部の間に文言的関係があったり、二つのセキュリティ機能部が同じモチーフを異なる形で見せたりしている場合は尚更である。
【００１１】
例えば、第１の光学的に変化し得るセキュリティ機能部が、鷲または人物像の顔の部分のような或るモチーフの正面側を示すのに対し、第２の光学的に変化し得るセキュリティ機能部が、鷲の背面側または人物像の頭部後面側を示すような場合である。さらに、偽造者がそれらを正確に重ね合わせなければならないというさらなる問題を解決しなければならないように、上記二つのセキュリティ機能部は完全に一致するように配設されるのが好ましい。さらに本発明によるセキュリティ素子は、もし双方のセキュリティ機能部が、双方のセキュリティ機能部において同じであることが好ましい読む情報を含んでおり、かつセキュリティ機能部の２層構造によって常に左右が合った状態で読むことができる場合には、特別の効果が得られる。
【００１２】
さらに、二つの、セキュリティ機能部の間には、機械によって検査可能な層を配設することができる。この層は、赤外線吸収層、または導電性層、または磁性層の少なくとも一つとすることができる。二つのセキュリティ機能部の間に複数のかかる層を配設することもできる。さらに、上記中間層は全面に設ける必要はないが、コード化された、あるいはその他の情報の形態とすることができる。或る場合には、セキュリティ素子の一方側からは特定のセキュリティ機能部のみが見えるようにするために、二つのセキュリティ機能部の間に全体に亘って、黒色層であることが好ましい有色層を配設することが好都合である。
【００１３】
好ましい実施の形態においては、セキュリティ素子が、少なくとも一つの不透明コーティング層を各側に備えたプラスチックフォイルからなる。上記不透明コーティング層のそれぞれは、文字、模様、標章等の形状が好ましい中断部を備えている。これら中断部は互いにずらされて配設される。すなわち、一方側の不透明コーティング層が存在する領域には、反対側の不透明コーティング層が全域に亘って施される。これにより、セキュリティ素子は、各側から認識可能な左右の合った情報のみを備えることが保証される。不透明コーティング層は金属層であることが好ましいが、有色層のような他の層を用いることもできる。第１のセキュリティ機能部が、いずれかの色の金属層からなり、第２のセキュリティ機能部が、不透明有色層または光学的に変化し得る印刷層または薄膜コーティング層からなるような組合せも可能である。見下ろしおよび見透かしによって異なる色を示す層または印刷インクを用いることも可能である。
【００１４】
使用される金属は、さらに異なる色彩を有する、および／または透光性を有するように構成される。もし上記層の少なくとも一つが透光性を有すると、反対側の層の中断部が透過光で認識可能にもなる。透光性は、層の厚さによっても網目によっても生じる。金属層のこれら可能性のある実施の形態は、金属層に関して後記する実施例のすべてに用いることができる。使用される金属は例えば、アルミニウム、鉄、銅、金、銀、ニッケルである。本発明においては、任意の合金も「金属」と呼ばれる。
【００１５】
中断部は、任意の方法、例えばレーザー光線またはエッチング法または洗い流し法によって形成される。
【００１６】
勿論、かかる中断部およびそれらの配置を予め設けることも、金属層、あるいは回折構造または薄膜素子のようなその他の蒸着層を有するすべてのセキュリティ機能部に転用することができる。これらセキュリティ機能部を作成するのに印刷インクが用いられる場合には、かかる空隙は白抜きによって形成することもできる。
【００１７】
さらなる好ましい実施の形態によれば、セキュリティ素子が、反対側に半透明層を備えながら、上述した空隙を有するコーティング層を一方側にのみ備えることもできる。
【００１８】
さらなる好ましい実施の形態によれば、セキュリティ素子が、回折構造を埋め込んだ二つのプラスチック層を有する。これらプラスチック層の少なくとも一つは、上記回折構造が反射光中で観察され得るように金属層を備えている。他方のプラスチック層は、金属層または高い屈折率を有する誘電体層を同様に備えることができる。もし、この他方のプラスチック層も金属層を備えている場合には、この金属層は一方の金属層とは異なる固有の色を持つことができる。
【００１９】
本発明によるセキュリティ素子は、必ずしも開口の領域内に配置される必要はないが、開口を利用すると、破壊を伴うことなしに両側から検査することができるので好都合である。これと同時に、開口は、プラスチック製銀行券等のような有価証書における完全に透明な領域となり得る。
【００２０】
同様に、本発明によるセキュリティ素子は、例えばいわゆる「振り子」窓型セキュリティペーパー内に組み込まれるセキュリティストリップとして用いることができる。かかるセキュリティペーパーにおいては、セキュリティストリップがセキュリティペーパーの表面に直接アクセスでき、したがって照合可能な「窓領域」が、セキュリティペーパーの表面と裏面に交互に設けられている。
【００２１】
周知のように、製紙時において、セキュリティストリップが常に左右が合った状態でセキュリティペーパー内に埋め込まれるとは限らない。捩れた、したがって左右が逆に埋め込まれたセキュリティストリップに関し、それでも文字、文言等を読むことができるのは、通常は左右が合ったものと逆になったものとが交互に提供されるからである。かくして、セキュリティストリップの位置に拘わらず、一部は常に読むことができる。
【００２２】
この問題を排除するために、本発明によるセキュリティ素子は勿論、たとえセキュリティペーパーが片側にしかウインドーを持っていない場合でも使用することができる。
【００２３】
さらに、このセキュリティ素子は、セキュリティペーパーまたは有価証書の偽造防止のみでなく、いかなる物品の偽造防止にも利用することができる。
【００２４】
このセキュリティ素子は、例えば、円形、楕円形、長方形、不等辺四辺形、星形、または帯状のようないかなる形状にも形成することができる。
【００２５】
もし帯状のセキュリティ素子が、有価証書またはセキュリティペーパーの開口領域に配設された場合には、一方のセキュリティ機能部は帯の長さ全体に亘って認識され、他方のセキュリティ機能部は開口の領域内でのみ見ることができる。
【００２６】
このセキュリティ素子の作成は、例えば透明なプラスチックフォイルのような、自立型キャリヤ素子上で行なわれ、このキャリヤ素子は次にラベル材料として利用される。しかしながら、セキュリティ機能部として特に回折構造が用いられる場合には、代わりにホットスタンピングフォイルを作成するのが都合良く、この場合は、セキュリティ素子の完全な層構造がキャリヤ材料上に調製され、次いで圧力と熱の下で有価証書またはセキュリティペーパーの少なくとも一部の領域に転写される。次にキャリヤ材料が剥ぎ取られるのが好ましい。
【００２７】
また、個々のセキュリティ機能部を独立したキャリヤ上に調製することも可能であり、これらキャリヤは次に貼り合わせ、あるいは接着剤層を介して結合させる。
【発明を実施するための最良の形態】
【００２８】
以下に、本発明のここの実施の形態について、図面を参照して詳細に説明する。
【００２９】
図１は本発明による有価証書を示す平面図である。図示の具体例は銀行券１を含む。この銀行券１は、セキュリティ素子３で覆われた透孔２を備えている。
【００３０】
図２は図１のＡ−Ａ線に沿った断面図である。図２では透孔２を明確に認識することができる。図示の実施例では、透孔２のエッジ４は銀行券１の打抜きまたは切断によって滑らかに形成されている。しかしながら、もし透孔２が、銀行券１に用いられる長尺の紙の製造時に形成されるとすると、エッジ４が不規則で毛羽立っている。毛羽立ったエッジ４は後からでは紙に形成することが不可能なので、さらなる真正の特徴を構成する。
【００３１】
上記透孔２は、本発明によるセキュリティ素子３によって一側を塞がれている。図示の実施例では、透孔２を取り囲む銀行券１の凹部５内にセキュリティ素子３が配置されている。これにより、銀行券の取扱い、特に積重ねを容易にする連続した段差なし表面が銀行券１に与えられる。
【００３２】
本発明によれば、セキュリティ素子３はＢ方向から見たときと、Ｃ方向から見たときとで異なる外観を呈する。最も単純な場合では、セキュリティ素子３が各側で異なる図柄、文言、文字数字、模様またはこれらの要素の組合わせを表す。
【００３３】
しかしながら、かかるセキュリティ素子３の偽造を阻止するために、セキュリティ素子３の二種類の外観は、互いに識別可能な関係を有する。例えば、両側で左右が合っている情報を示している場合、特に文言情報の場合に役に立つ。というのは、文言は左右が合っていれば読むことができるからである。したがって、もし同じ情報が両側から認識される場合は、たとえ各場合において左右が合っていても、外観の相違も存在することになるのである。
【００３４】
あるいは、セキュリティ素子３が一つのモチーフについて異なる光景を表すこともできる。例えば鷲の正面図がＢ方向から認識されるとすると、Ｃ方向からは鷲の背面図が認識される。これら二つの図は見当を合わせて配置されるのが好ましい。同様に、全体の情報の互いに補完し合う一部分を双方の側に配置することができる。各側から同じように見える対称的な情報が選択されることが好ましい。
【００３５】
セキュリティ素子３の外観の相違は、見る方向によって一つの特徴のみを見ることができるようにセキュリティ素子３に配設された二つの異なるセキュリティ機能部の組合せを通じて生じる。
【００３６】
図３は本発明によるセキュリティ素子３の第１の実施の形態を示す。このセキュリティ素子３は、この場合それぞれが回折素子である二つの異なるセキュリティ機能部６，７から構成されている。セキュリティ機能部６は、２層のプラスチック層８，９を備え、これらの層間に、浮彫り構造１５の形態の回折素子が配設されている。さらにプラスチック層８，９間には、付加的な金属層１２が存在して、回折素子内に格納された情報が反射光中で認識可能になることを保証する。上記金属層は、模様、文字、数字の形態の中断部１６を備えることができる。セキュリティ機能部７は同様に構成され、回折構造１７および金属層１３が間に配設された２層のプラスチック層１０，１１を有する。金属層１３も、模様または文字、数字の形態の中断部１８を備えることができる。
【００３７】
もし金属層１２，１３に中断部１６，１８が設けられている場合には、中間層２３が設けられることが好ましく、この中間層２３は、金属層と対称的に不透明、例えば白または黒に形成され、文字の鏡像が背後から見通されるのを防止している。しかしながら、両中断部は一致させて設けることもできる。
【００３８】
二つのセキュリティ機能部６，７は、接着剤層を介して互いに結合されるか、あるいは接着剤層を介さずに貼り合わせることができる。最後にセキュリティ素子３は接着剤層１４を介して銀行券１に結合される。
【００３９】
プラスチック層９，１１は主として防護層として作用し、随意的である。これらは、特に全体構造が転写材料としてキャリヤフォイル上に調製される場合には不要である。この場合、所望の剥取り特性を備えるように前処理されるキャリヤフォイルは、プラスチック層８で覆われる。回折構造１５はプラスチック層８に刻印され、この刻印された回折構造１５が好ましくは真空蒸着法によって金属層１２で覆われる。次にプラスチック層１０が金属層１２に施され、同様に刻印される。金属層１３が好ましくは蒸着法によって施されて、回折構造１７が設けられる。最終基材上に転写するために接着剤層が金属層に施される。もし金属層１２，１３が中断部を備える場合には、レーザー光線を用いた除去、エッチングまたは洗い流しのような特定の方法を必要とするさらなる工程が必要となる。
【００４０】
浮彫り構造１５は、例えばＢ方向から見たとき鷲の正面が見え、銀行券１を傾けるとその色が変るように表示される。しかしながら、回折構造１７は鷲の背面の視覚印象を生じさせ、銀行券１を傾けると同様にその色が変化する。これに代わり、あるいはこれに加えて、回折構造自体が、両側において左右が合って読むことが可能な可読情報を載せることもできる。
【００４１】
図４は、図３に示されたセキュリティ素子３の変形を示し、ここではセキュリティ機能部６，７が接着剤層１９を介して互いに結合され、金属層１２，１３は中断部を備えていない。接着剤層１９は機械で検査可能な特性を備えることができる。この接着剤層１９は例えば導電性顔料または磁性顔料が混合されたものにすることができる。
【００４２】
図５は、本発明によるセキュリティ素子３のさらなる実施の形態を示す。ここでも、セキュリティ機能部６，７のそれぞれが、浮彫り構造の形態の回折構造１５，１７が間に存在する２層のプラスチック層８、９，１０，１１からなる。しかしながらこの場合は、回折構造１５，１７が不透明な金属層と結合されていない。その代わりに、回折構造１５，１７が反射光中で同様に見ることができるように、プラスチック層８、９；１０，１１がそれらの間に、プラスチック層８、９，１０，１１とは屈折率の異なる誘電体層２０；２１を備えている。誘電体層２０，２１は透明なために、セキュリティ機能部６，７のうちの一つのみが各場合で見ることができるように、セキュリティ機能部６，７の間にさらなる層を挿入しなければならない。図示の実施例では、これが黒色層２３であり、この層２３が透過光を吸収するので、同時に回折構造１５，１７の視覚印象の輝度を増大させることになる。図示の実施例では、セキュリティ素子３がさらに、二つのセキュリティ機能部６，７を互いに結合させる接着剤層１９を備えている。
【００４３】
層２３が接着性または貼り合わせ機能を備えている場合には、接着剤層１９を省略することができる。
【００４４】
黒色層２３の代わりに、同様の光学的効果に加えて、さらにセキュリティ素子３の機械で読取り可能な特性を保証する暗い色の磁性層を用いることもできる。磁性層が透過光を洩らすのを防止するために、磁性層に加えて色彩層を設けることもできる。
【００４５】
図６に示されたセキュリティ素子３の変形においては、セキュリティ機能部６，７が異なる構成を有する。セキュリティ機能部６は上述の図に示されたのと同様の回折素子を備えている。しかしながら、この場合のセキュリティ機能部７は、或る領域に施され、かつ或るモチーフ、模様または文字数字を表す薄膜構造２２を備えている。ここでも、二つのセキュリティ機能部６，７に対する個別の視覚を保証するために、黒色層２３がセキュリティ機能部６，７間に配設されている。ここでも上記黒色層２３は、薄膜構造２２の光学的効果を増大させる機能を有する。
【００４６】
薄膜構造２２で表される情報は、回折構造１５によって表される情報に対応させることができ、これを補完し、または上述のように、同じモチーフを別の光景に見せる。
【００４７】
薄膜構造に代えて、他の効果を備えた層、または効果を備えた顔料を含む印刷インクを用いることもできる。上記効果を備えた層、または効果を備えた顔料は、例えば発光性、吸光性、特に赤外線吸収性物質、または液晶顔料などである。単純な印刷でも可能である。
【００４８】
図７は、本発明によるセキュリティ素子３のさらなる実施の形態を示し、二つのセキュリティ機能部６，７のそれぞれが光学的に変化する印刷画像２５，２６からなる。したがって印刷インクには、少なくとも１種類の液晶顔料または干渉層顔料が含まれている。二つの印刷画像２５，２６に対して、異なる光学的に変化する顔料を用いることができる。
【００４９】
もし印刷画像２５，２６の一方が各場合において見える場合には、不透明なキャリヤ２４が用いられる。キャリヤ２４は暗い色に着色されたプラスチックフォイルが好ましい。
【００５０】
図示された実施例のそれぞれは、セキュリティ素子３を銀行券１に固着する接着剤層１４を備えている。しかしながら、接着剤層１４は随意的である。これに代わり、接着剤層を証書側自体に施してもよいし、別の固定方法を選択してもよい。
【００５１】
図８は、本発明によるセキュリティ素子３の別の実施の形態を示す。ここでは、透明なプラスチックフォイルであることが好ましいキャリヤ材料３３が、一方側にセキュリティ機能部６を備え、他方側にセキュリティ機能部７を備えた態様で設けられている。図示の実施例においては、双方のセキュリティ機能部６，７が反射光中に観察され得る回折構造で構成されている。この回折構造は、それぞれ金属層３５，３８を備えたプラスチック層３６，３７中の浮彫り構造の形態で存在している。金属層３５，３８は、最終的に防護層３４，３９によって覆われる。
【００５２】
最も単純な場合、プラスチック層３６，３７が同じ回折構造を備えており、セキュリティ機能部６，７は単に金属層３５，３８の色が異なるのみである。金属層３５，３８の異なる色は、固有の異なる色を備えた特定の金属の使用によって生じさせることができる。例えば、金属層３５は銀色のアルミニウム層によって構成され、金属層３８は銅層によって構成されることが可能である。しかしながら、金属層の色が異なる効果は、防護層３４，３９の助けを借りて生じさせることができる。この場合は、金属層３５，３８に関しては同一材料が用いられ、防護層３４，３９はそれぞれ別の透けて見える色に着色されている。これに代わり、あるいはこれに加えて、セキュリティ機能部６，７に対し異なる回折構造が選択されることもあり得る。
【００５３】
図９は、異なるセキュリティ機能部６，７が用いられている本発明によるセキュリティ素子３のさらなる実施の形態を示す。セキュリティ機能部６は、図８で説明したようなキャリヤ材料３３が施された反射性回折構造を備えたセキュリティ機能部に対応する。キャリヤ材料３３の反対側に配設されたセキュリティ機能部７は、半透明層４１で覆われた印刷画像４０によって構成されている。半透明層４１は、薄い、透けて見える全面金属層あるいは網目状金属層とすることができる。
【００５４】
あるいは、例えばセキュリティ機能部６に類似した回折構造を備えた多層構造を用いることもできる。しかしながら、この場合には、一方では印刷画像４０を認識させ、他方では反射光中に回折構造が見えるようにする誘電体透明層を金属層３５の代わりに用いなければならない。この実施例においては、キャリヤフォイル３３を着色して、セキュリティ機能部６，７を互いに視覚的に分離させることも有効である。図１０に示されたさらなる実施の形態によれば、セキュリティ機能部の一つの全ての層が必ずしもキャリヤ材料３３の同一側に配設される必要はない。かくして、半透明層４１は、キャリヤ材料３３の同一側においてセキュリティ機能部６の下側に配設されることもできる。ここに示された実施例においては、金属層３５がさらに、任意な形状の中断部を備えている。これら中断部は、正方形、円形、長方形等のような任意の輪郭形状を有する比較的大面積に形成されている。これら中断部は、セキュリティ素子３をＡ方向から視た場合に反射光中で認識される。セキュリティ機能部６の下に配設された半透明層４１は、印刷画像４０がＡ方向からは実際に認識できないことを保証する。透過光中で視たときのみ、印刷画像４０が中断部４２を通じて見える。しかしながら、セキュリティ素子をＢ方向から視たときには、半透明層４１がセキュリティ機能部６を隠すので、印刷画像４０のみが直ちに認識される。
【００５５】
図１１は、本発明によるセキュリティ素子３のさらなる実施の形態を示す。この場合、セキュリティ機能部６は回折構造が組み込まれ、かつ次に少なくとも一部領域に金属層が設けられるプラスチック層からなる。セキュリティ機能部７は、不透明な白色印刷層４２によってセキュリティ機能部６から視覚的に分離された印刷画像４０からなる。
【００５６】
図１２は、セキュリティ機能部６もセキュリティ機能部７も、或る領域に中断部４４，４６を備えた不透明コーティング層からなる。本質的な点は、不透明コーティング層４５は中断部４４の領域に中断部を備えていないこと、すなわち、中断部４４の領域の全てに亘ってコーティング層４５が存在することである。反対に、不透明コーティング層４３は中断部４６の領域の全てに亘って存在する。これによって、中断部４４によって表される情報は、いかなる場合でもセキュリティ素子３の片側からのみ認識され、文字の場合に常に左右が逆にならない状態で読むことができることが保証される。不透明コーティング層４３，４５はいかなる有色層および／または金属層であってもよい。層４３，４５は色を異ならせることができ、これによって、金属層の場合には、透けて見える色ラッカー層を表面に印刷することによって異なる色を生じさせることができる。光学的に変化する印刷インクまたは金属性インクも用いることができ、これらはキャリヤ材料３３に白抜き印刷画像として施される。
【００５７】
もし金属層が不透明コーティング層として用いられる場合には、これらは上述のように、回折構造と組合せることができるのは言うまでもない。
【００５８】
セキュリティ機能部として回折構造が用いられるすべての実施の形態においては、相応する屈折率を備えた誘電体層で金属層を置き換えることによって、上記回折構造を、透明な回折素子として機能させることもできる。上記誘電体層は、さらなるセキュリティ機能部または末端基材に結合するための要素として役に立つ接着剤層とすることができるかも知れない。
【００５９】
もしセキュリティ機能部が金属層を備えていれば、この金属層は半透明層または網目状層の形態に形成することができる。
【００６０】
図１３は、本発明による有価証書の実施の形態を示す。この場合、銀行券１に開けられた開口２が両側でセキュリティ機能部２７，２８によって塞がれている。すなわち、この場合のセキュリティ素子３は、開口の領域に配設される一様な層構造としては用意されておらずに、セキュリティ素子３の個々の部分、すなわちセキュリティ機能部２７，２８のそれぞれが別個に開口の一側に配設されている。上述したセキュリティ機能部６，７を同様に用いることができる。それらは同じ光学的効果を呈し、かつ表示される情報に関して類似した関係をも有する。
【００６１】
図１に示されたセキュリティ素子３はいかなる輪郭をも持ち得る。例えば、円形、楕円形、長方形、星型、不等辺四辺形等とすることができる。この輪郭は開口２の輪郭に適合させ、あるいは一致させることができる。
【００６２】
あるいは、キュリティ素子３は、有価証書の幅全体または長さ全体に亘って延びる帯の形状にすることもできる。この実施の形態は特に、有価証書の作成のためにセキュリティペーパーが用いられ、かつキュリティ素子３がすでにセキュリティペーパーに連続した形で施されている場合に特に有効である。
【００６３】
図１４は、かかるセキュリティペーパー３０の平面図である。キュリティ素子３は、連続ホットスタンピング法によって帯の形状に所定の間隔をおいて施されている。次の処理工程で、セキュリティペーパー３０に印刷が施され、個々の証書に裁断される。
【００６４】
図１５は、図１４のセキュリティペーパー３０のＤ−Ｄ線に沿った断面図である。セキュリティペーパー３０がキュリティ素子３の下に所定の間隔で開口２を備えているのが見られる。開口２は、１枚の証書が一つの開口２を有するような間隔の形成されていることが好ましい。ここでの開口２は、開口２のエッジ３１が不規則で毛羽立っているように、セキュリティペーパー３０の製造中に形成される。
【００６５】
セキュリティ機能部はまた、セキュリティペーパー内に埋め込まれたセキュリティストリップとして設けることもできる。この場合、セキュリティペーパーは、ウインドーと呼ばれる開口を両側に備えていることが好ましい。
【図面の簡単な説明】
【００６６】
【図１】本発明による有価証書を示す平面図である。
【図２】図１の有価証書のＡ−Ａ線に沿った断面図である。
【図３】本発明によるセキュリティ素子の実施の形態を示す断面図である。
【図４】本発明によるセキュリティ素子の実施の形態を示す断面図である。
【図５】本発明によるセキュリティ素子の実施の形態を示す断面図である。
【図６】本発明によるセキュリティ素子の実施の形態を示す断面図である。
【図７】本発明によるセキュリティ素子の実施の形態を示す断面図である。
【図８】本発明によるセキュリティ素子の実施の形態を示す断面図である。
【図９】本発明によるセキュリティ素子の実施の形態を示す断面図である。
【図１０】本発明によるセキュリティ素子の実施の形態を示す断面図である。
【図１１】本発明によるセキュリティ素子の実施の形態を示す断面図である。
【図１２】本発明によるセキュリティ素子の実施の形態を示す断面図である。
【図１３】本発明による有価証書のさらなる実施の形態を示す断面図である。
【図１４】本発明によるセキュリティペーパーの一実施の形態を示す平面図である。
【図１５】図１４のＤ−Ｄ線に沿った本発明によるセキュリティペーパーの断面図である。
【符号の説明】
【００６７】
１    銀行券
２    透孔
３    セキュリティ素子
３，４    金属層
６，７，２７，２８    セキュリティ機能部
８，９，１０，１１，３６，３７    プラスチック層
１２，１３，３５，３８    金属層
１４，１９    接着剤層
１５，１７    回折構造
１６，１８，４４，４６    中断部
２０，２１    誘電体層
２２    薄膜構造
２５，２６，４０    印刷画像
３０    セキュリティペーパー
３３    キャリヤ材料
４１    半透明層
４３，４５    不透明コーティング層
【図１】
2005512859.tif 000003
【図２】
2005512859.tif 000004
【図３】
2005512859.tif 000005
【図４】
2005512859.tif 000006
【図５】
2005512859.tif 000007
【図６】
2005512859.tif 000008
【図７】
2005512859.tif 000009
【図８】
2005512859.tif 000010
【図９】
2005512859.tif 000011
【図１０】
2005512859.tif 000012
【図１１】
2005512859.tif 000013
【図１２】
2005512859.tif 000014
【図１３】
2005512859.tif 000015
【図１４】
2005512859.tif 000016
【図１５】
2005512859.tif 000017
【国際調査報告】
2005512859.tif 000018
2005512859.tif 000019
2005512859.tif 000020
2005512859.tif 000021